(57)【要約】【課題】  アルコール等の液体成分と反応して金や銀の色が抜けてしまうことがなく、しかも装飾模様を施すことができて加飾性を高めることができるウエットティシュ包装体のリシールラベル及びウエットティシュ包装体を提供すること。【解決手段】  包装袋３内にアルコール等の液体成分が含浸したウエットティシュ２を収納してなるウエットティシュ包装体１の、前記包装袋に設けたウエットティシュ取出口５を開閉自在に閉じて貼着されるリシールラベル１０であり、耐アルコール等の液体成分性のある金属フイルム層（アルミフイルム層）を有することを特徴とする。【選択図】      図２
0003165244.tif 000002
【実用新案登録請求の範囲】
【請求項１】
包装袋内にアルコール等の液体成分が含浸したウエットティシュを収納してなるウエットティシュ包装体の、前記包装袋に設けたウエットティシュ取出口を開閉自在に閉じて貼着されるリシールラベルにおいて、
耐アルコール等の液体成分性のある金属フイルム層を有することを特徴とするリシールフィルム。
【請求項２】
請求項１に記載のリシールラベルにおいて、金属フイルム層が、アルミフイルム層であることを特徴とするリシールラベル。
【請求項３】
請求項１又は２に記載のリシールラベルにおいて、金属フイルム層が、剥離用台紙に粘着する粘着層の上面に配置された第１の合成樹脂層と該第１の合成樹脂層と反対側に配置された第２の合成樹脂層とによって挟持されていることを特徴とするリシールラベル。
【請求項４】
請求項１ないし３のいずれかに記載のリシールラベルが、包装袋内にアルコール等の液体成分が含浸したウエットティシュを収納してなるウエットティシュ包装体の、前記包装袋に設けたウエットティシュ取出口を開閉自在に閉じて貼着されていることを特徴とするウエットティシュ包装体。
【考案の詳細な説明】
【技術分野】
【０００１】
この考案は、手指などの汚れを取ったりするのに使用するウエットティシュを収納したウエットティシュ包装体のリシールラベル及びウエットティシュ包装体に関し、特にリシールラベルの改良技術に係るものである。
【背景技術】
【０００２】
前記のようなウエットティシュには、（１）手指などの汚れを取ったり、車や窓などの清掃のための清拭用ウエットティシュ、（２）手指、机などの除菌・消毒・殺菌用ウエットティシュ、（３）汗を拭いたり、メイク落としなどの化粧品用ウエットティシュ、等の種類がある。そして配合成分としては、（１）のウエットティシュでは界面活性剤、保湿剤（身体拭き用の場合）、アルコールであり、（２）のウエットティシュでは消毒剤（塩化ベンザルコニウム等）、アルコールであり、（３）のウエットティシュでは保湿剤、界面活性剤、アルコール、タルク、パウダー、香料であるのが一般的である。
【０００３】
従来、この種のウエットティシュを収納した包装体においては、収納したウエットティシュを１枚ずつその取出口から取り出し可能なように取出口を開閉自在に貼着するリシートラベルを設けているのが一般的である。
【０００４】
ところで、前記のようなウエットティシュ包装体に用いられているリシールラベルとして、図８に示すようなラベルが従来から知られている。このリシールラベルは、剥離用台紙５１の上に粘着層５２、フイルム層５３、表面処理層５４、印刷（箔）層５５、ラミネート層５６、が順次積層してなり、透明又は白色からなっている。しかし、このような透明又は白色からなる従来のラベルの場合、その表面に各種の模様等を印刷することは可能であっても、アルミなど金や銀などの光沢があるものにすることができず、加飾性の点で物足らないという問題があった。また、フイルム層５３が蒸着技術を用いた素材からなる場合、包装袋内のウエットティシュに染み込まれているアルコール等の液体成分が蒸発する際に反応して金や銀の色が抜けてしまうという問題があった。
【考案の概要】
【考案が解決しようとする課題】
【０００５】
そこでこの考案は、前記のような従来の問題に鑑みて創案されたものであり、アルコール等の液体成分と反応して金や銀の色が抜けてしまうことがなく、しかも装飾模様を施すことができて加飾性を高めることができるウエットティシュ包装体のリシールラベル及びウエットティシュ包装体を提供することを目的とする。
【課題を解決するための手段】
【０００６】
前記目的を達成するために、請求項１に記載の考案は、包装袋内にアルコール等の液体成分が含浸したウエットティシュを収納してなるウエットティシュ包装体の、前記包装袋に設けたウエットティシュ取出口を開閉自在に閉じて貼着されるリシールラベルにおいて、耐アルコール等の液体成分性のある金属フイルム層を有することを特徴とする。請求項２に記載の考案は、請求項１に記載のリシールラベルにおいて、金属フイルム層が、アルミフイルム層であることを特徴とする。
【０００７】
請求項３に記載の考案は、請求項１又は２に記載のリシールラベルにおいて、金属フイルム層が、剥離用台紙に粘着する粘着層の上面に配置された第１の合成樹脂層と該第１の合成樹脂層と反対側に配置された第２の合成樹脂層とによって挟持されていることを特徴とする。
【０００８】
請求項４に記載の考案は、請求項１ないし３のいずれかに記載のリシールラベルが、包装袋内にアルコール等の液体成分が含浸したウエットティシュを収納してなるウエットティシュ包装体の、前記包装袋に設けたウエットティシュ取出口を開閉自在に閉じて貼着されているウエットティシュ包装体であることを特徴とする。
【考案の効果】
【０００９】
この考案は、前記のようであって、請求項１ないし３に記載された考案においては、耐アルコール等の液体成分性のある金属フイルム層を有するから、該金属フイルム層がアルコール等の液体成分と反応して金や銀の色が抜けてしまうことがない。そのため、金属フイルム層に金や銀などの光沢のある装飾模様を施すことができ、その加飾性を高めることができる。しかも、金属フイルムをアルミフイルム層とした場合は、該アルミフイルム層はガスバリア性が高く、水分が透過しにくいため、ウエットティシュの液体成分である、例えばアルコールが蒸発するのを防ぐことができる。そのため、使用者は最後まで充分に湿ったウエットティシュを使用することが可能である。また従来、印刷インキで金や銀などの高輝度感を表現するには限界があり難しかったが、この考案ではアルミフイルム自体の高輝度を印刷にそのまま活かすことができるため、今までなし得なかった範囲までを印刷インキで表現することが可能になり、著しい美観を持つデザインを表現できる等の効果がある。
【００１０】
請求項４に記載された考案においては、請求項１ないし３に記載されたリシールラベルを用いることにより、内部のアルコール等の液体成分がリシールラベルから蒸発するのを防ぐことが可能となるので、ウエットティシュ中の液体成分を常に適度の濃度に保って収納することができ、長期の使用が可能となるという効果がある。
【図面の簡単な説明】
【００１１】
【図１】この考案の一実施の形態に係るウエットティシュ包装体の全体概略平面図である。
【図２】同上のウエットティシュ包装体においてリシールラベルを剥がしている使用状態を示す斜視図である。
【図３】同上のリシールラベルを剥離用台紙とともに示す平面図である。
【図４】図３の線Ａ−Ａに沿うリシールラベルの実施例１を示す拡大断面図である。
【図５】リシールラベルの実施例２を示す拡大断面図である。
【図６】リシールラベルの実施例３を示す拡大断面図である。
【図７】リシールラベルの実施例４を示す拡大断面図である。
【図８】従来のリシールラベルを示す拡大断面図である。
【考案を実施するための形態】
【００１２】
この考案の一実施の形態を、添付した図面を参照しながら詳細に説明する。
【００１３】
＜ウエットティシュ包装体の全体構成＞
図１，２において、１は、ウエットティシュ包装体で、液体成分が含浸されたシート状の基材からなるウエットティシュ２と、液体成分の揮発を防止するために、液不透過性のフイルム材からなり、内部にウエットティシュ２を収納するための扁平な袋状のウエットティシュ包装袋３と、を具えている。
【００１４】
＜ウエットティシュの構成＞
ウエットティシュ２のシート状の基材としては、例えばセルロース繊維（コットン、パルプ、レーヨン）、合成繊維（ポリエステル、ポリエチレン、ポリプロピレン、ポリウレタン、ポリアミド、ポリアクリル、ナイロンなど）又はこれらを混合した繊維の不織布もしくは織布が挙げられる。ウエットティシュ２は、１枚のみであってもよいが、携帯用のウエットティシュ包装体においては、１０〜１５枚程度のウエットティシュが収納されることが多い。このような場合には、ウエットティシュが、折り畳まれたウエットティシュをその折り返し部分において他の折り畳まれたウエットティシュの一部を挟み込むようにして、複数枚のウエットティシュを連続的に積層することにより形成されたウエットティシュ束として収納されているものが好ましい。
【００１５】
液体成分としては、化粧品、薬剤、消毒剤等が挙げられる。より具体的には、水、アルコール類、化粧水、乳液、美容液、洗浄液、殺菌剤などの一種又はこれらの混合物を挙げることができ、使用目的に応じて適宜選択する。シート状の基材に水などを含浸させるには、例えばシャワー法、ディップロールコーター法、グラビアロールコーター法、スプレーコート法、リバースロールコーター法、ダイレクトロールコーター法、キスロールコーター法、インバースナイフコーター法、エアナイフコーター法、オポジットナイフコーター法、ハケ塗り法などの公知の方法を使用できる。その他、必要に応じて界面活性剤、着色剤、酸化防止剤、芳香剤、消臭剤、保湿剤、増粘剤などを一緒に含浸させておくとよい。
【００１６】
前記の殺菌剤、消毒剤にはエタノールやイソピルアルコールなどの各種アルコール類、塩化ベルザルコニウム、塩化ペンゼトコニウム、グルコン酸クロルヘキシジン、次亜塩素酸ナトリウム、ポピドンヨード、グルタールアルデヒド、過酸化水素などの各種水溶液を使用でき、殺菌スペクトルを向上させるためにこれらを混合含浸している。使用されるエタノール水溶液の濃度は、１０質量％〜９０質量％の範囲の濃度が好ましい。また、シート状の基材への薬液の含浸率は、使用時の感触の良さという点から、シート状の基材の１００〜７００重量％が好ましく、より好ましくは２００〜４００重量％である。
【００１７】
＜ウエットティシュ包装袋の構成＞
包装袋３は、プラスチックフィルム或いはこれにアルミニウム箔などを積層（ラミネート）してなる複合フイルムを用いて、その長手方向の両端部４を熱融着によりシールして袋状とし、これにウエットティシュ２を収納して密封する。袋体を形成しているラミネートフィルムは、中間層がバリア性を有するアルミフイルムによって構成され、その内面側が熱融着可能な、例えばポリエチレンフィルムからなるシーラント層とされ、外面側が印刷可能な、例えばポリプロピレンからなる基材層とされている。
【００１８】
また、ラミネートフィルムの厚みは２０〜２００μｍ程度であることが好ましい。包装袋３の表面にはその内部に収納されるウエットティシュ２を取り出すための取出口５を構成する切り取り線６が中央部の開口領域の外周に沿って長円状に形成されている。そして、後述のように切り取り線６に沿って切り離されると、切り離された部分７は後述のリシールラベルとともに引き剥がされ、その跡に取出口５が形成されて、開放することになる。取出口５の形状は、本実施の形態では長円状としたが、収納されるウエットティシュ２の形状やサイズ、枚数により適宜選択することができる。また、その配置位置も包装袋３の表面中央部にしたが、これも任意の配置位置とすることが可能である。
【００１９】
携帯用のウエットティシュ包装体１は、前述のように１０〜１５枚程度のウエットティシュ２が収納されることが多いため、取出口５を外側から繰り返し開閉可能に覆うリシールラベル１０を具えている。
【００２０】
＜リシールラベルの構成＞
リシールラベル１０は、平面形状が取出口５より大きく、十分に取出口５を覆うことが可能な大きさの略長方形を呈し、その長さ方向の一端の短辺側の中央部に開封用のつまみ部１１が一体に形成されている。リシールラベル１０の裏面にはつまみ部１１を除く全面に再剥離性粘着剤１２が塗布され、該粘着剤が取出口５を覆ってこれの周囲の包装袋３表面の複合フイルムにリシール可能に粘着されることによりウエットティシュ包装袋３に収納されたウエットティシュ２を取り出す際には引き剥がして取出口５を開口することができ、取り出した後は包装袋３に元通り貼り付けて取出口５を閉塞することができる。従って、一旦開封された後においても含浸された液体成分の揮発を防止することができ、ウエットティシュ２を長期間使用することが可能となる。
【００２１】
リシールラベル１０の裏面に塗布される再剥離性粘着剤１２は、一旦貼着した後に再度剥離させることが可能な粘着剤であり、貼着と剥離を繰り返し行う用途で好適に用いられる。このような性質を有するものである限り、接着剤の種類は特に限定されないが、本実施の形態においては、再剥離性粘着剤としてアクリル系粘着剤を好適に用いることができる。
【００２２】
リシールラベル１０は、つまみ部１１と反対側で切り離された部分７から外れた他端部が非剥離部１３に形成されており、開封時にはこの非剥離部１３が残るようにつまみ部１１側から剥がすようになっている。
【００２３】
（実施例１）
図３は、リシールラベル１０が剥離用台紙１５に粘着された、使用前の状態を示すものである。図面では台紙１５上に１枚のリシールラベル１０が粘着されているが、これは説明の便宜のためで通常は多数枚粘着される。このリシールラベル１０の断面構造は、図４に示すようになっている。すなわち、８０μｍ厚さの剥離用台紙１５上に、前記再剥離性粘着剤１２からなる２５μｍ厚さの粘着層、６．５μｍ厚さのアルミフイルム層１７、１２μｍ厚さの表面処理層１８、２μｍ厚さの印刷層１９、が順次積層されている。アルミフイルム層１７は、アルミニウムそのもの（アルミ基体）であり、気液バリア性を有する点で、アルミニウム蒸着技術によって形成された素材とは相違する。
【００２４】
このような構造のリシールラベル１０を前記のような包装袋３の取出口５用に使用すると、包装袋３内でウエットティシュ２に染み込んでいるアルコール等の液体成分がリシールラベル１０の粘着層１２を透過してもアルミフイルム層１７で防御される。そのため、従来のフイルム層５３のようにアルコール等の液体成分により色抜けが生ずることがない。さらに、アルミフイルム層１７を設けたことにより、該フイルム層に金や銀などの光沢がある装飾模様を施すことができて加飾性を高めることができる。
【００２５】
（実施例２）
図５は、リシールラベル１０の実施例２の断面構造を示す。実施例１と相違するところは印刷層１９の上に４０μｍ厚さのラミネート層２０が積層されている点である。それ以外の点は実施例１と同様であるので、同一符号を付して説明を省略する。この実施例２のリシールラベルにおいても実施例１のリシールラベルと同様な作用効果を期待することができる。さらに、実施例２のリシールラベルではラミネート層２０を有するので、印刷層１９に印刷される装飾模様がより光沢あるものとなる。
【００２６】
（実施例３）
図６は、リシールラベル１０の実施例３の断面構造を示す。実施例２と相違するところは粘着層１２とアルミフイルム層１７の間に４０μｍ厚さの２軸延伸ポリプロピレン（ＯＰＰ）層１６が設けられている点である。それ以外の点は実施例２と同様であるので、同一符号を付して説明を省略する。この実施例３のリシールラベルにおいても実施例１のリシールラベルと同様な作用効果を期待することができる。さらに、実施例３のリシールラベルではＯＰＰ層１６を有するので、薄肉の層からなるアルミフイルム層１７に腰をもたせることができる。また、このアルミフイルム層１７へのアルコール等の液体成分の浸透を防御することもできる。
【００２７】
（実施例４）
図７は、リシールラベルの実施例４の断面構造を示す。実施例３と相違するところはアルミフイルム層１７と表面処理層１８の間に１６μｍ厚さのＰＥＴ層２１が設置され、ＯＰＰ層１６とともにアルミフイルム層１７を挟持している点である。それ以外の点は実施例３と同様であるので、同一符号を付して説明を省略する。この実施例４のリシールラベルにおいても実施例１のリシールラベルと同様な作用効果を期待することができる。さらに、実施例４のリシールラベルではＰＥＴ層２１を有し、該ＰＥＴ層とＯＰＰ層１６とでアルミフイルム層１７を挟持するので、薄肉の層からなるアルミフイルム層１７に皺が生じにくくなり、アルミフイルム層１７に形成される金や銀などの光沢のある装飾模様を良質のものとすることができる。
【００２８】
＜ウエットティシュ包装体の作用＞
使用時における開封に際しては、図１，２に示すようにつまみ部１１を持ってリシールラベル１０を矢印ａ方向に引っ張りながら剥がす。すると、切り取り線６で囲まれている、切り離された部分７が再剥離性粘着剤１２でリシールラベル１０に貼着されているので、切り離された部分７がリシールラベル１０に貼着されたまま切り離される。これにより、切り離された部分７の跡には取出口５が形成され、開封される。この開封は非剥離部１３の近くまで行うと取出口５が全開となるので、この状態下で袋内に収納されている最上位で最初のウエットティシュを引き出して使用に供することとなる。続けてウエットティシュを利用するときは、順次に積層されて収納されたウエットティシュを引き出す。一方、使用を止めるために閉じるときは、前記により引き剥がしたリシールラベル１０を、取出口５を塞ぐように粘着する。これにより、取出口５は再び元のようにリシールラベル１０により閉じた状態になる。この状態ではアルコール等の液体成分の蒸発現象はなく、漏れが皆無である。
【００２９】
なお、図面に示す実施の形態は好ましい一例を示したにすぎず、ＯＰＰ層１６やＰＥＴ層２１は必須のものではなく、必要によっては省略することができる。また、リシールラベル１０を用いる包装袋３も一例を示したにすぎず、携帯用ではなく、もう少し大きい箱型の容器であってもよい。さらに、アルミフイルム層１７も金属フイルム層の一例であり、アルミフイルム層１７以外の金属フイルムを使用してもよいことは勿論である。そのほかにも細部の構成は、実施に際し、実用新案登録請求の範囲に記載した範囲内で任意に変更して実施することができるものである。
【符号の説明】
【００３０】
１  ウエットティシュ包装体
２  ウエットティシュ
３  包装袋
４  両端部
５  取出口
６  切り取り線
７  切り離された部分
１０  リシールラベル
１１  つまみ部
１２  再剥離性粘着剤（粘着層）
１３  非剥離部
１５  剥離用台紙
１６  ２軸延伸ポリプロピレン（ＯＰＰ）層
１７  アルミフイルム層（金属フイルム層）
１８  表面処理層
１９  印刷層
２０  ラミネート層
２１  ＰＥＴ層
【図１】
0003165244.tif 000003
【図２】
0003165244.tif 000004
【図３】
0003165244.tif 000005
【図４】
0003165244.tif 000006
【図５】
0003165244.tif 000007
【図６】
0003165244.tif 000008
【図７】
0003165244.tif 000009
【図８】
0003165244.tif 000010
【手続補正書】
【提出日】平成22年10月28日(2010.10.28)
【手続補正１】
【補正対象書類名】実用新案登録請求の範囲
【補正対象項目名】請求項１
【補正方法】変更
【補正の内容】
【請求項１】
包装袋内にアルコール等の液体成分が含浸したウエットティシュを収納してなるウエットティシュ包装体の、前記包装袋に設けたウエットティシュ取出口を開閉自在に閉じて貼着される、積層された複数の層構造からなるリシールラベルにおいて、
アルコール等の液体成分に対して耐液性のある金属フイルム層を層の１つとして有することを特徴とするリシールラベル。
【手続補正２】
【補正対象書類名】明細書
【補正対象項目名】０００６
【補正方法】変更
【補正の内容】
【０００６】
前記目的を達成するために、請求項１に記載の考案は、包装袋内にアルコール等の液体成分が含浸したウエットティシュを収納してなるウエットティシュ包装体の、前記包装袋に設けたウエットティシュ取出口を開閉自在に閉じて貼着される、積層された複数の層構造からなるリシールラベルにおいて、アルコール等の液体成分に対して耐液性のある金属フイルム層を層の１つとして有することを特徴とする。請求項２に記載の考案は、請求項１に記載のリシールラベルにおいて、金属フイルム層が、アルミフイルム層であることを特徴とする。